(57)【要約】      （修正有）【課題】２組の端子の成形、組立をそれぞれ１回で行い、組立効率の向上とコストダウンを図ることができる電気コネクタ及びその端子構造を提供する。【解決手段】電気コネクタは、絶縁本体１０、金属筐体３０、複数の第１端子４０及び複数の第２端子５０を備えて構成する。さらに、第１端子４０と第２端子５０はそれぞれ、同じ金属板からプレス成形により並列にかつ交互に並んで形成され、第１端子４０の第１半田ピンと第２端子５０の第２半田ピンがいずれも、同じキャリアテープ６０に切離し可能に接続される。【選択図】図２
0003170291.tif 000002
【実用新案登録請求の範囲】
【請求項１】
絶縁本体と、前記絶縁本体に配設される複数の第１端子及び複数の第２端子と、前記絶縁本体の外側に設けられる金属筐体とを備えてなり、
前記絶縁本体に舌板が設けられ、
前記第１端子及び前記第２端子はそれぞれ、同一の金属板をプレス成形することにより、並列にかつ交互に並べて形成され、
前記第１端子は、前記絶縁本体に嵌め込み可能に形成される第１固着部、前記第１固着部に一体に形成され前記第１固着部から前方へ延びる第１接触部、及び前記第１固着部に一体に形成され前記第１固着部から後方へ延びる第１半田ピンを有してなり、
前記第２端子は、前記絶縁本体に嵌め込み可能に形成される第２固着部、前記第２固着部に一体に形成され前記第２固着部から前方へ延びる第２接触部、及び前記第２固着部に一体に形成され前記第２固着部から後方へ延びる第２半田ピンを有してなり、
前記各第１端子の第１接触部と前記各第２端子の第２接触部は前後２列に分かれて、前記絶縁本体の舌板の同一の表面に露出し、前記第１接触部は平板状で、前記絶縁本体に固定され、前記第２接触部はバネ状で、柔軟に動けるように設けられ、
前記第１半田ピン及び前記第２半田ピンはそれぞれ、同一のキャリアテープに切離し可能に接続される、
ことを特徴とする電気コネクタ。
【請求項２】
第１端子はＵＳＢ３．０端子で、４つの差動信号端子と１つの接地端子を備えてなり、第２端子は、４つのＵＳＢ２．０端子からなり、ＵＳＢ３．０ソケットの電気コネクタとして構成されることを特徴とする請求項１に記載の電気コネクタ。
【請求項３】
第１端子は４つのＵＳＢ２．０端子からなり、第２端子はＵＳＢ３．０端子で、４つの差動信号端子と１つの接地端子を備えてなり、ＵＳＢ３．０プラグの電気コネクタとして構成されることを特徴とする請求項１に記載の電気コネクタ。
【請求項４】
隣接する２つの第１接触部の間は接続部によって切離し可能に接続されることを特徴とする請求項１乃至３のいずれかに記載の電気コネクタ。
【請求項５】
絶縁本体の後部下方に心押台が設けられ、第１半田ピンと第２半田ピンは下へ折り曲げられて、前記心押台に通されることを特徴とする請求項１乃至４のいずれかに記載の電気コネクタ。
【請求項６】
複数の第１端子及び第２端子を備えてなり、
前記第１端子及び第２端子はそれぞれ、同一の金属板をプレス成形により並列にかつ交互に並べて形成され、
前記第１端子は、第１固着部、前記第１固着部に一体に形成され前記第１固着部から前方へ延びる第１接触部、前記第１固着部に一体に形成され前記第１固着部から後方へ延びる第１半田ピンを有してなり、
前記第２端子は、第２固着部、前記第２固着部に一体に形成され前記第２固着部から前方へ延びる第２接触部、前記第２固着部に一体に形成され前記第２固着部から後方へ延びる第２半田ピンを有してなり、
前記第１端子の第１接触部と前記第２端子の第２接触部は前後２列に分かれて、前記第１接触部は平板状に設けられ、第２接触部はバネ状に柔軟に動けるように設けられ、
前記第１半田ピンと前記第２半田ピンはいずれも、同一のキャリアテープに切離し可能に接続される、ことを特徴とする電気コネクタの端子構造。
【請求項７】
第１端子はＵＳＢ３．０端子で、４つの差動信号端子と１つの接地端子を備えてなり、第２端子は４つのＵＳＢ２．０端子からなり、ＵＳＢ３．０ソケットの電気コネクタ端子として構成されることを特徴とする請求項６に記載の電気コネクタの端子構造。
【請求項８】
第１端子は４つのＵＳＢ２．０端子からなり、第２端子はＵＳＢ３．０端子で、４つの差動信号端子と１つの接地端子を備えてなり、ＵＳＢ３．０プラグの電気コネクタ端子として構成されることを特徴とする請求項６に記載の電気コネクタの端子構造。
【請求項９】
隣接する２つの第１接触部の間が接続部によって切離し可能に接続されることを特徴とする請求項６乃至８のいずれかに記載の電気コネクタの端子構造。
【考案の詳細な説明】
【技術分野】
【０００１】
本考案は、電気コネクタ及びその端子構造に関し、特に、成形や組立てを簡単に行い得る電気コネクタ及びその端子構造に関する。
【背景技術】
【０００２】
ＵＳＢ電気コネクタ（ユニバーサルシリアルバス  Ｕｎｉｖｅｒｓａｌ  Ｓｅｒｉａｌ  Ｂｕｓ）は、周知のように、コネクタに差込み、マザーボードに電気的に接続して、２つの電子装置間の電気的接続を提供する装置である。ＵＳＢ電気コネクタは、持ち歩きやすく、標準規格で、ホットプラグに対応し、複数の装置に同時に接続できるという長所があることから、ノートパソコン、台湾式コンピュータホスト、携帯電話、ポータブルハードディスク、ファックス機、印刷機、セットトップボックスやゲーム機など、様々な電子機器に広く用いられている。
【０００３】
このＵＳＢ電気コネクタの技術は急速に発展しており、１９９６年には転送速度１．５Ｍｂ／ｓのＵＳＢ１．０しかなかったものが、２００５年に入り、転送速度４８０ＭｂｐｓのＵＳＢ２．０が現れた。ＵＳＢ２．０インターフェースはコンピュータ業界に氾濫しているが、Ｉｎｔｅｌ、Ｍｉｃｒｏｓｏｆｔ、ＨＰ、Ｔｅｘａｓ  Ｉｎｓｔｒｕｍｅｎｔｓ、ＮＥＣ、ＳＴ−ＮＸＰ  Ｗｉｒｅｌｅｓｓなど業界での巨頭からＵＳＢ  ３．０  Ｐｒｏｍｏｔｅｒ  Ｇｒｏｕｐを構成し、最近、該組織は策定する次世代のＵＳＢ  ３．０規格仕様を正式決定したと発表した。この新仕様では、ＵＳＢ２．０の持つ４接点をベースに、新たに５つの接点を追加し、２本のデータ出力、２本のデータ登録の形を採用し、発送リストセクションを通じて、データの伝送を行うことになり、ＵＳＢ  ２．０の約１０倍の転送速度で、さらに省エネ効率がよく、ＰＣ周辺設備や消費性電子製品に広く使用されている。
【０００４】
このＵＳＢ３．０電気コネクタは、絶縁本体、絶縁本体の上に設けられる金属筐体、５つの付加端子及び４つのＵＳＢ２．０端子を備えた構造になっているが、市販されているＵＳＢ３．０電気コネクタでは、この２組の端子の組立てが２通りの方法で行われている。１つは、２組の端子はいずれも差込式の組立てにより行われ、もう１つは、５つの付加端子は嵌められるように成形、固定され、４つのＵＳＢ２．０端子は同じく差込式の組立てが行われる。
【考案の概要】
【考案が解決しようとする課題】
【０００５】
しかしながら、上記２組の端子の２つの組立方法に存在する不十分な点は、２組の端子はそれぞれ２枚の金属板をプレス成形して作られるため、金型作りが必要で、２回の組立てが行われており、組立て作業が多く、生産効率やコストダウンの点で不利になることにある。
【０００６】
本考案は、このような従来の問題を解決するものであり、２組の端子を１回で成形、組立可能とし、さらに組立効率の向上とコストダウンを図ることのできる電気コネクタ及びその端子構造を提供すること、を目的とする。
【課題を解決するための手段】
【０００７】
上記目的を達成するために、本考案の電気コネクタは、絶縁本体、絶縁本体の上に設けられる金属筐体、複数の第一端子、複数の第二端子を備えてなり、該絶縁本体に舌板が設けられており、第一端子と第二端子はそれぞれ、同じ金属板をプレス成形して作られ、互いに交差に並べられているが、該第一端子は、絶縁本体に嵌められるように設けられる第一固着部、第一固着部から前へ一体延長した第一接触部、第一固着部から後へ一体延長した第一半田ピンを備えてなり、該第二端子は、絶縁本体に嵌められるように設けられる第二固着部、該第二固着部から前へ一体延長した第二接触部、第二固着部から後へ一体延長した第二半田ピンを備えてなり、第一端子の第一接触部と第二端子の第二接触部は前後二列に分かれ、絶縁本体にある舌板の同じ表面に露出されるが、該第一接触部は平板状で、絶縁本体に固定されるが、第二接触部はバネ状のように、柔軟に動けるように設けられるが、第一端子と第二端子が同時に絶縁本体に嵌められるように成形されたとき、第一半田ピンや第二半田ピンはいずれも、同じキャリアテープに接続していることを要旨とする。
【０００８】
また、この電気コネクタは、さらに次のような構成を採用されることが好ましい。
（１）該電気コネクタはＵＳＢ３．０ソケットの電気コネクタで、該第一端子はＵＳＢ３．０端子で、四つの差動信号端子と一つの接地端子を備えてなり、該第二端子は、四つのＵＳＢ２．０端子を備えてなるものである。
（２）該電気コネクタは、ＵＳＢ３．０プラグの電気コネクタで、該第一端子は、四つのＵＳＢ２．０端子を備えてなり、該第二端子は、四つの差動信号端子と一つの接地端子を備えてなるＵＳＢ３．０端子である。
（３）第一端子と第二端子は同時に、絶縁本体に嵌められるように成形されたとき、隣接した二つの該第一接触部の間が接続部によって接続されるように設けられている。
（４）さらに心押台が設けられるが、該第一半田ピンと第二半田ピンが下へ折り曲がって、該心押台を通るように設けられている。
【０００９】
また、上記目的を達成するために、本考案の電気コネクタの端子構造は、複数の第一端子と第二端子を備えてなり、該第一端子と第二端子はそれぞれ、同じ金属板をプレス成形して作られ、互いに交差するように並べられているが、該第一端子は、第一固着部、第一固着部から前へ一体延長した第一接触部、第一固着部から後へ一体延長した第一半田ピンを備えてなり、該第二端子は、第二固着部、第二固着部から前へ一体延長した第二接触部、第二固着部から後へ一体延長した第二半田ピンを備えてなり、第一端子の第一接触部と第二端子の第二接触部は前後二列に分かれ、該第一接触部は平板状となり、第二接触部はバネ状のように、柔軟に動けるように設けられるが、第一半田ピンと第二半田ピンはいずれも、同じキャリアテープに接続していることを要旨とする。
【００１０】
また、この電気コネクタの端子構造は、さらに次のような構成を採用されることが好ましい。
（１）該電気コネクタ端子はＵＳＢ３．０ソケットの電気コネクタ端子で、該第一端子は、四つの差動信号端子と一つの接地端子を備えてなるＵＳＢ３．０端子で、該第二端子は四つのＵＳＢ２．０端子を備えてなるものである。
（２）該電気コネクタ端子は、ＵＳＢ３．０プラグの電気コネクタ端子で、該第一端子は四つのＵＳＢ２．０端子を備えてなり、該第二端子は、四つの差動信号端子と一つの接地端子を備えてなるＵＳＢ３．０端子である。
（３）隣接した二つの該第一接触部の間は、接続部によって接続されている。
【考案の効果】
【００１１】
本考案の電気コネクタ及びその端子構造によれば、上記の構成により、次のような顕著な効果を奏する。
（１）複数の第一端子と複数の第二端子は同じ金属板をプレス成形して作られるというような成形方法により、成形の時に一つの金型だけで、組立の時に一回の組立で行われて済むことで、前述した従来の技術の二つの組立方法に存在する不十分な点を改善、組立作業を簡単化し、生産効率の向上とコストダウンにつながる。
（２）第一半田ピンと第二半田ピンが同じキャリアテープに接続しているので、端子が簡単に取れず、順序よく並ばれ、組立が簡単になり、また端子の平板状接触部の間が接続部によって一体化し、接続されるようになり、それにより、嵌められるようにする成形過程において、しっかりと位置が決められ、成形の品質が確保される。
【図面の簡単な説明】
【００１２】
【図１】本考案の第１の実施の形態における電気コネクタを示す斜視図
【図２】同電気コネクタ及びその端子構造を示す分解斜視図
【図３】同電気コネクタに採用される絶縁本体及び第１、第２端子を示す斜視図
【図４】同電気コネクタに採用される端子構造を示す平面図
【図５】同電気コネクタに採用される端子構造を示す側面図
【図６】本考案の第２の実施の形態における電気コネクタを示す斜視図
【図７】同電気コネクタ及びその端子構造を示す分解斜視図
【考案を実施するための形態】
【００１３】
次に、この考案を実施するための形態について図を用いて説明する。図１乃至図５に第１の実施の形態を示している。なお、この実施の形態では、ＵＳＢ３．０ソケットの電気コネクタを例示している。
【００１４】
図１及び図２に示すように、この電気コネクタは、絶縁本体１０、心押台２０、金属筐体３０、第１端子４０及び第２端子５０を備えて構成される。
【００１５】
図２に示すように、絶縁本体１０は前端に一体に形成され前方に向けて延長される舌板１１を備え、金属筐体３０がマスクの働きを持たせるように、絶縁本体１０の外側を覆うように装着されて、電気コネクタの前端に標準規格のＵＳＢ差込口が設けられる。心押台２０は絶縁本体１０の後部下方に設けられる。
【００１６】
図３、図４及び図５に示すように、第１端子４０は、４つの差動信号端子と中間の１接地端子を備えてなる５つのＵＳＢ３．０端子が用いられる。各第１端子４０は同じ構造を有し、すべて第１固着部４１、第１接触部４２及び第１半田ピン４３を持っている。この場合、第１接触部４２は第１固着部４１と一体に第１固着部４１から前方に延長して形成され、第１半田ピン４３は第１固着部４１と一体に第１固着部４１から後方へ延長して形成される。第１端子４０の第１固着部４１はすべて、絶縁本体１０に嵌められるように形成され、各第１接触部４２は平板状で、絶縁本体にある舌板１１の底面に露出するように固定され、舌板１１の底面前部に一列に配置され、各第１半田ピン４３は下向きに９０度折れ曲げられて、心押台２０に通して、プリント基板の溶接に用いられる。
【００１７】
図４及び図５に示すように、第２端子５０はＵＳＢ２．０端子で、４つの第２端子５０が第１端子４０と横向方向に並列にかつ交互に並べて形成される。すなわち、各第２端子５０は、隣接する２つの第１端子４０の間に設けられる。第２端子５０はそれぞれ、第２固着部５１、第２接触部５２及び第２半田ピン５３を有している。この場合、第２接触部５２は第２固着部５１と一体に第２固着部５１から前方へ延長して形成され、第２半田ピン５３は第２固着部５１に一体に第２固着部５１から後方へ延長して形成される。第２端子５０の第２固着部５１はすべて、絶縁本体１０に嵌められるように形成され、第２接触部５２はそれぞれ、柔軟に動けるようにバネ状に設けられ、絶縁本体の舌板１１にある底面にかけられ、平板状の第１接触部４２の後に一列に配置され、第２半田ピン５３はそれぞれ、下向きに９０度折れ曲げられて、心押台２０に通して、プリント基板の溶接に用いられる。
【００１８】
第１、第２の各端子４０、５０の製造、組立てでは、図４に示すように、まず、同じ（同一の）金属板をプレス成形して、第１端子４０と第２端子５０とを交互に並べて作る。この場合、第１半田ピン４３、第２半田ピン５３をいずれも、同じ（同一の）キャリアテープ６０に接続し、隣接する２つの第１接触部４１の間を接続部７０により接続することによって、端子部品を形成する。次いで、図３に示すように、第１端子４０と第２端子５０を有する端子部品を同時に、絶縁本体１０に嵌めるように射出成形する。次いで、キャリアテープ６０を端子組の第２半田ピン５３から切断した後、接続部７０を第１接触部４２から切り取って、第１接触部４２をそれぞれ分けるようにする。そして、第１端子４０の第１半田ピン４３と第２端子５０の第２半田ピン５３を下向きに９０度折り曲げて、心押台２０に通す。そして最後に、この端子付きの絶縁本体１０を金属筐体３０内に設けて、組立を完了する。
【００１９】
図６及び図７に第２の実施の形態を示している。なお、この実施の形態では、ＵＳＢ３．０プラグの電気コネクタを例示している。
【００２０】
図６及び図７に示すように、この電気コネクタは、第１の実施の形態と同様に、絶縁本体１０、金属筐体３０、第１端子４０及び第２端子５０を備えて構成され、第１の実施の形態と異なるのは、第１端子４０は４つのＵＳＢ２．０端子、第２端子５０は５つのＵＳＢ３．０端子で、既述のＵＳＢ３．０ソケットコネクタと逆になる点である。この場合、第１端子４０の第１接触部４２は平板状で前に、第２端子５０の第２接触部５２はバネ状で第１接触部４２の後に配置される。この端子部品はＵＳＢ３．０ソケットの電気コネクタと同様に同じ（同一の）金属板をプレス成形して作り、ＵＳＢ３．０ソケットの電気コネクタと同様の組立て方法により形成される。この点については、第１の実施の形態で既に説明してあるので、ここではそれ以上述べないことにする。
【００２１】
以上説明したように、この電気コネクタ及びその端子構造によれば、複数の第１端子と複数の第２端子を、同じ金属板をプレス成形して作るので、この端子部品の成形を１つの金型で行え、各端子の組立てが１回の組立で済むことから、前述の従来の技術の２つの組立方法に存在する不十分な点を改善し、組立て作業を簡単化して、生産効率の向上とコストダウンを図ることができる。また、第１半田ピンと第２半田ピンを同じキャリアテープに接続するので、各端子が簡単に取れることがなく、各端子を順序よく並べて、組立てを簡単にすることができ、また、端子の平板状接触部間を接続部によって接続し一体化したことで、端子を絶縁本体１０に嵌める成形過程において、端子を確実に位置決めすることができ、高い成形品質を確保することができる。
【００２２】
以上、本考案の電気コネクタ及びその端子構造について詳しく説明したが、上記の説明は本考案の好ましい実施の形態を示すだけのもので、これによって実用新案登録請求の範囲が限定されるものではなく、本考案の意図と一致する改変はすべて、本考案の実用新案登録請求の範囲に属するものである。
【符号の説明】
【００２３】
１０  絶縁本体
１１  舌板
２０  心押台
３０  金属筐体
４０  第１端子
４１  第１固着部
４２  第１接触部
４３  第１半田ピン
５０  第２端子
５１  第２固着部
５２  第２接触部
５３  第２半田ピン
６０  キャリアテープ
７０  接続部
【図１】
0003170291.tif 000003
【図２】
0003170291.tif 000004
【図３】
0003170291.tif 000005
【図４】
0003170291.tif 000006
【図５】
0003170291.tif 000007
【図６】
0003170291.tif 000008
【図７】
0003170291.tif 000009